(57)【要約】【課題】コストの増加を抑えつつ処理効率の高い包装機を提供すること。【解決手段】包装機は、対向する第１の２枚組フィルムを供給する第１のフィルム供給部と、対向する第２の２枚組フィルムを供給する第２のフィルム供給部と、前記第１及び第２の２枚組フィルムをそれぞれ独立して袋状に溶着する溶着部と、前記溶着部の一方の側に対向配置され、前記第１の２枚組フィルムを前記溶着部の一方の側へ押し当てる第１の押し当て部と、前記溶着部の他方の側に対向配置され、前記第１の２枚組フィルムを前記溶着部の他方側へ押し当てる第２の押し当て部と、を備える。【選択図】図１Ａ
2018034845.tif 000002
【特許請求の範囲】
【請求項１】
対向する第１の２枚組フィルムを供給する第１のフィルム供給部と、
対向する第２の２枚組フィルムを供給する第２のフィルム供給部と、
前記第１及び第２の２枚組フィルムをそれぞれ独立して袋状に溶着する溶着部と、
前記溶着部の一方の側に対向配置され、前記第１の２枚組フィルムを前記溶着部の一方の側へ押し当てる第１の押し当て部と、
前記溶着部の他方の側に対向配置され、前記第１の２枚組フィルムを前記溶着部の他方側へ押し当てる第２の押し当て部と、
を備える包装機。
【請求項２】
前記溶着部は、第１、第２、及び第３のヒータを備え、
前記第１のヒータは、前記第１及び第２の２枚組フィルムの長手方向に直交する直線状に、前記第１及び第２の２枚組フィルムを溶着する熱源であり、
前記第２のヒータは、前記第１及び第２の２枚組フィルムの長手方向に平行する直線状に、前記第１及び第２の２枚組フィルムをそれぞれ独立して溶着する熱源であり、
前記第３のヒータは、前記第１及び第２の２枚組フィルムの長手方向に平行する直線状に、前記第１及び第２の２枚組フィルムをそれぞれ独立して溶着する熱源である請求項１の包装機。
【請求項３】
前記第１の押し当て部は、前記第１のヒータの一辺に対向配置された第１の部材と、前記第２のヒータの一辺に対向配置された第２の部材と、前記第３のヒータの一辺に対向配置された第３の部材とを備え、
前記第２の押し当て部は、前記第１のヒータの他辺に対向配置された第４の部材と、前記第２のヒータの他辺に対向配置された第５の部材と、前記第３のヒータの他辺に対向配置された第６の部材とを備え、
前記第１の部材は、前記第１の２枚組フィルムを前記第１のヒータの一辺に押し当て、
前記第２の部材は、前記第１の２枚組フィルムを前記第２のヒータの一辺に押し当て、
前記第３の部材は、前記第１の２枚組フィルムを前記第３のヒータの一辺に押し当て、
前記第４の部材は、前記第２の２枚組フィルムを前記第１のヒータの他辺に押し当て、
前記第５の部材は、前記第２の２枚組フィルムを前記第２のヒータの他辺に押し当て、
前記第６の部材は、前記第２の２枚組フィルムを前記第３のヒータの他辺に押し当てる請求項２の包装機。
【請求項４】
前記第１のヒータの温度は、前記第２及び第３のヒータの温度より高温であり、前記第１及び第２の２枚組フィルムの長手方向に直交する直線状に、前記第１及び第２の２枚組フィルムを溶着し切断する熱源である請求項２又は３の包装機。
【請求項５】
前記第２及び第３のヒータのうちの少なくとも一方を移動し、前記第２及び第３のヒータの間の距離を変えるヒータ可動部を備える請求項２乃至４の何れか１つの包装機。
【請求項６】
前記第３のヒータは、第１及び第２の分割ヒータにより構成され、
前記第１の分割ヒータを移動し、前記第２のヒータ及び第１の分割ヒータの間の距離を変えるヒータ可動部を備える請求項２乃至４の何れか１つの包装機。
【請求項７】
前記第２及び第３のヒータの間に、前記第２及び第３のヒータと平行で且つ前記第前記第２及び第３のヒータの長さより短い第４のヒータを備える請求項２乃至４の何れか１つの包装機。
【発明の詳細な説明】
【技術分野】
【０００１】
本発明の実施形態は、包装機に関する。
【背景技術】
【０００２】
複数種類の広告を丁合し広告束を作る丁合機が知られている。また、新聞（朝刊、夕刊）等の購読紙に対して上記の広告束を挿入する挿入機が知られている。丁合機と挿入機を組み合わせて使用することにより、購読紙と広告束とが組み合わせられた配達物が作られる。複数部数の配達物は、各配達先へ配達される。
【０００３】
また、配達物を包装フィルム等で包装する包装機が知られている。包装機を用いることにより、雨天の場合には、包装フィルム等で包装された配達物を配達するサービスを提供できる。なお、天候に限らず、包装機により全ての配達物を包装するケース、或いは包装しないケースがある。
【先行技術文献】
【特許文献】
【０００４】
【特許文献１】特開２０１２−８６９７９号公報
【発明の概要】
【発明が解決しようとする課題】
【０００５】
上記した配達物は限られた時間内で準備する必要があり、特に新聞等の配達物の準備時間は短い。雨天等で配達物を包装フィルム等で包装する場合であっても、準備時間は変わらない。そのため、包装機には高い処理効率が求められる。単純に、包装機の台数を増加すると、台数に比例してコストが増加し、またスペースも取られてしまう。コストの増加を抑えつつ処理効率の高い包装機が要望されている。
【０００６】
本発明の目的は、コストの増加を抑えつつ処理効率の高い包装機を提供することにある。
【課題を解決するための手段】
【０００７】
上記目的を達成するためにこの発明の包装機は、以下のように構成されている。
【０００８】
例えば、包装機は、対向する第１の２枚組フィルムを供給する第１のフィルム供給部と、対向する第２の２枚組フィルムを供給する第２のフィルム供給部と、前記第１及び第２の２枚組フィルムをそれぞれ独立して袋状に溶着する溶着部と、前記溶着部の一方の側に対向配置され、前記第１の２枚組フィルムを前記溶着部の一方の側へ押し当てる第１の押し当て部と、前記溶着部の他方の側に対向配置され、前記第１の２枚組フィルムを前記溶着部の他方側へ押し当てる第２の押し当て部と、を備える。
【発明の効果】
【０００９】
本発明によれば、コストの増加を抑えつつ処理効率の高い包装機を提供できる。
【図面の簡単な説明】
【００１０】
【図１Ａ】第１の実施形態に係る包装機の一例を示す断面図である。
【図１Ｂ】第２の実施形態に係る包装機の一例を示す断面図である。
【図２】図１Ａに示す包装機Ｐの制御の概略を示すブロック図である。
【図３】包装機の押し当て機構と切断ヒータによる包装用フィルムシートの切断、及び押し当て機構と溶着ヒータによる包装用フィルムシートの溶着の一例を説明するための図である。
【図４Ａ】第１の包装部による切断と溶着により袋状に形成されたフィルム（袋状フィルム）の一例を示す図である。
【図４Ｂ】第２の包装部による切断と溶着により袋状に形成されたフィルム（袋状フィルム）の一例を示す図である。
【図５Ａ】包装用フィルムシートの可変長カットの第１例を説明するための図である。
【図５Ｂ】包装用フィルムシートの可変長カットの第１例を説明するための図である。
【図６Ａ】包装用フィルムシートの可変長カットの第２例を説明するための図である。
【図６Ｂ】包装用フィルムシートの可変長カットの第２例を説明するための図である。
【図７Ａ】包装用フィルムシートの可変長カットの第３例を説明するための図である。
【図７Ｂ】包装用フィルムシートの可変長カットの第３例を説明するための図である。
【図７Ｃ】包装用フィルムシートの可変長カットの第４例を説明するための図である。
【発明を実施するための形態】
【００１１】
以下、各実施形態について図面を参照して説明する。
【００１２】
（第１の実施形態）
図１Ａは、第１の実施形態に係る包装機の一例を示す断面図である。
【００１３】
例えば、丁合機と挿入機を組み合わせて使用することにより、購読紙と広告束とが組み合わせられた配達物が作られる。或いは、丁合機と挿入機を組み合わせた丁合挿入機を使用することにより、購読紙と広告束とが組み合わせられた配達物が作られる。
【００１４】
図１Ａに示す包装機Ｐは、同時又は異なるタイミングで投入される二つの配達物を同時又は異なるタイミングで包装する。言い換えれば、包装機Ｐは、独立したタイミングで投入される二つの配達物を独立したタイミングで包装可能に構成される。そのため、包装機Ｐは、包装処理を独立して実行可能な二つの包装部、即ち第１の包装部１００及び第２の包装部２００を備える。
【００１５】
なお、本実施形態では、包装機Ｐが二つの配達物を独立したタイミングで包装する第１の包装部１００及び第２の包装部２００を備えるケースについて説明するが、包装機Ｐが三つ以上の配達物を独立したタイミングで包装する構成を備えるようにしてもよい。また、包装機Ｐの包装対象は配達物に限定されるものではなく、包装可能ものであればどのような物品でもよい。
【００１６】
図２は、図１Ａに示す包装機Ｐの制御の概略を示すブロック図である。図３は、図１Ａに示す包装機Ｐの押し当て機構と切断ヒータによる包装用フィルムシートの切断、及び押し当て機構と溶着ヒータによる包装用フィルムシートの溶着の一例を説明するための図である。図４Ａは、第１の包装部による切断と溶着により袋状に形成されたフィルム（袋状フィルム）の一例を示す図である。図４Ｂは、第２の包装部による切断と溶着により袋状に形成されたフィルム（袋状フィルム）の一例を示す図である。
【００１７】
なお、図１Ａに示す包装機Ｐの一例として、二つの配達物を別々に上から投入し別々に下から排出する縦型の包装機Ｐについて説明するが、本実施形態はこれに限定されるものではない。例えば、包装機は、一方の配達物を一方（の側面）から投入し、他方の配達物を他方（の側面）から投入し、それぞれを下方から排出する包装機であってもよい。また、本実施形態では、二つの配達物をそれぞれの排出口から排出する包装機Ｐについて説明するが、本実施形態はこれに限定されるものではない。例えば、包装機は、別々に投入された配達物をまとめて一つの排出口から排出する構成であってもよい。
【００１８】
図１Ａに示すように、例えば、包装機Ｐは、第１の包装部１００及び第２の包装部２００を備える。さらに、包装機Ｐは、第１の包装部１００及び第２の包装部２００において共通して利用される第１のヒータ１３（熱源）及び第２のヒータ１４（熱源）を備える。
【００１９】
まず、第１の包装部１００について説明する。第１の包装部１００は、投入口１０１、第１のフィルムローラ１０３、第２のフィルムローラ１０４、第１の搬送部１０５、第２の搬送部１０６、第１のセンサ１０７、第２のセンサ１０８、第１の押し当て機構１０９、第２の押し当て機構１１０、第１の押し当て部材１１１、第２の押し当て部材１１２、排出口１１５、及び付勢部材１１７を備える。第１の搬送部１０５は、第１の搬送ベルト１０５ｂを備え、同様に、第２の搬送部１０６は、第２の搬送ベルト１０６ｂを備える。
【００２０】
投入口１０１は、配達物を包装機Ｐの内部へ取り込む。第１のフィルムローラ１０３は、包装材としての第１の包装用フィルムロール（フィルム本体）Ｒ１１を装填可能に構成され、第１の包装用フィルムロールＲ１１から第１の包装用フィルムシートＳ１１を供給する。同様に、包装材としての第２のフィルムローラ１０４は、第２の包装用フィルムロール（フィルム本体）Ｒ１２を装填可能に構成され、第２の包装用フィルムロールＲ１２から第２の包装用フィルムシートＳ１２を供給する。即ち、第１のフィルムローラ１０３は、取り込まれる配達物に対応して、装填された第１の包装用フィルムロールＲ１１から第１の包装用フィルムシートＳ１１を供給し、同様に、第２のフィルムローラ１０４も、取り込まれる配達物に対応して、装填された第２の包装用フィルムロールＲ１２から第２の包装用フィルムシートＳ１２を供給する。言い換えれば、第１のフィルムローラ１０３及び第２のフィルムローラ１０４は、対向する２枚組フィルムシート（第１の包装用フィルムシートＳ１１及び第２の包装用フィルムシートＳ１２）を供給する。供給される第１の包装用フィルムシートＳ１１のフィルム面と、供給される第２の包装用フィルムシートＳ１２のフィルム面とは対向し、配達物は、供給される第１の包装用フィルムシートＳ１１のフィルム面と、供給される第２の包装用フィルムシートＳ１２のフィルム面との間に取り込まれる。
【００２１】
第１のセンサ１０７は、取り込まれる配達物を検知し、第１の検知信号を制御部１１へ送る。同様に、第２のセンサ１０８は、取り込まれる配達物を検知し、第２の検知信号を制御部１１へ送る。制御部１１は、第１及び第２の検知信号に基づき、第１の押し当て機構１０９及び第２の押し当て機構１１０を駆動させるための駆動信号をモータ１５へ供給し、これに対応してモータ１５が駆動し第１の押し当て機構１０９及び第２の押し当て機構１１０が駆動する。なお、本実施形態では、包装機Ｐの包装部１００が第１のセンサ１０７及び第２のセンサ１０８の二つのセンサを備えるケースについて説明するが、実際には三つ以上の多数のセンサを備え、各センサにより配達物の移動（動き）が検知され、検知信号が制御部１１へ通知される。これにより、制御部１１は、投入される配達物の移動（動き）を把握し、モータ１５等の駆動系を適切なタイミングで駆動制御することができる。
【００２２】
第１の押し当て機構１０９は、第１の押し当て部材（例えばスポンジ）１１１を備え、第２の押し当て機構１１０は、第２の押し当て部材（例えばスポンジ）１１２を備える。第１の押し当て部材１１１は、第１のヒータ（溶着兼切断用ヒータ）１３（接触部１１３ａ）に対向配置され、第１のヒータ１３に向けて移動する。第２の押し当て部材１１２は、第２のヒータ（溶着用ヒータ）１４（接触部１１４ａ）に対向配置され、第２のヒータ１４に向けて移動する。例えば、第１のヒータは第２のヒータより高温であり、第１のヒータ１３は、第１の包装用フィルムシートＳ１１と第２の包装用フィルムシートＳ１２の長手方向に対して直交する１本のヒータであり、第２のヒータ１４は、第１の包装用フィルムシートＳ１１と第２の包装用フィルムシートＳ１２の長手方向に平行な２本のヒータである。
【００２３】
例えば、第１の押し当て機構１０９及び第２の押し当て機構１１０は、制御部１１からの指示に基づき同時に駆動する。この駆動に対応して、第１の押し当て部材１１１が、待機位置から第１のヒータ１３に向けて移動し、第１の押し当て部材１１１が第１のヒータ１３に到達すると（第１の押し当て部材１１１が第１のヒータ１３に接触すると）、第１のヒータ１３の熱により、第１の押し当て部材１１１と第１のヒータ１３との間に挟み込まれた第１の包装用フィルムシートＳ１１と第２の包装用フィルムシートＳ１２とが溶着ライン１１３ｂ（図２２参照）で溶着されるとともに、第１の包装用フィルムシートＳ１１は第１の包装用フィルムロールＲ１１（フィルム本体）から切り離され、第２の包装用フィルムシートＳ１２は第２の包装用フィルムロールＲ１２（フィルム本体）と分離する。
【００２４】
また、第２の押し当て部材１１２が、待機位置から第２のヒータ１４に向けて移動し、第２の押し当て部材１１２が第２のヒータ１４に到達すると（第２の押し当て部材１１２が第２のヒータ１４に接触すると）、第２のヒータ１４の熱により、第２の押し当て部材１１２と第２のヒータ１４との間に挟み込まれた第１の包装用フィルムシートＳ１１と第２の包装用フィルムシートＳ１２とが溶着ライン１１４ｂ（図２２参照）で溶着される。
【００２５】
なお、第２のヒータ１４の温度を高くすることにより、第２のヒータ１４を溶着兼切断用ヒータとして使用することもできる。或いは、第２の押し当て機構１１０の動作を制御し、第２の押し当て部材１１２が第２のヒータ１４に接する時間を長くすることにより、第２のヒータ１４を溶着兼切断用ヒータとして使用することもできる。
【００２６】
第１の押し当て部材１１１と第１のヒータ１３の接触による溶着と切り離し、及び第２の押し当て部材１１２と第２のヒータ１４との接触による溶着により、図４Ａに示すように袋状フィルム１２０が形成される。即ち、袋状フィルム１２０は、第１の包装用フィルムシートＳ１１と第２の包装用フィルムシートＳ１２により形成され、溶着ライン１１３ｂ、１１３ｃ、１１４ｂにより袋状にシールされている。この袋状フィルム１２０は配達物を内包する（以下、袋状フィルム１２０と袋状フィルム１２０に内包された配達物とを合せて包装済み配達物と称する）。
【００２７】
なお、第１の押し当て部材１１１と第１のヒータ１３の接触による溶着と切り離しにより形成された溶着ライン１１３ｂにより袋状フィルム１２０の一辺がシールされる。この溶着ライン１１３ｂは次の配達物を収容する袋状フィルム１２０の底辺（溶着ライン１１３ｃ）になる。また、第２の押し当て部材１１２と第２のヒータ１４の接触による溶着により形成された溶着ライン１１４ｂにより袋状フィルム１２０の両サイドがシールされる。
【００２８】
例えば、第１の押し当て部材１１１と第１のヒータ１３とが接触し、第２の押し当て部材１１２と第２のヒータ１４とが接触した状態で、第１の搬送ベルト１０５ｂ及び第２の搬送ベルト１０６ｂが可動し、包装済み配達物は排出口１１５へ導かれ、排出口１１５から排出される。また、第１の搬送ベルト１０５ｂ及び第２の搬送ベルト１０６ｂの可動により、第１の包装用フィルムロールＲ１１から第１の包装用フィルムシートＳ１１が引き出され、第２の包装用フィルムロールＲ１２から第２の包装用フィルムシートＳ１２が引き出され、次の配達物を包装する準備が整えられる。
【００２９】
その後、第１の押し当て部材１１１は待機位置へ戻り、第２の押し当て部材１１２も同様に待機位置へ戻る。
【００３０】
ここで、付勢部材１１７（例えばばね等の弾性体）の役割について補足する。上記説明したように、第１の包装用フィルムシートＳ１１のフィルム面と、供給される第２の包装用フィルムシートＳ１２のフィルム面とは対向し、配達物は、供給される第１の包装用フィルムシートＳ１１のフィルム面と、供給される第２の包装用フィルムシートＳ１２のフィルム面との間に取り込まれる。即ち、対向する２枚組フィルムシート（第１の包装用フィルムシートＳ１１及び第２の包装用フィルムシートＳ１２）の間には配達物が取り込まれる。付勢部材１１７は、第１の搬送部１０５（第１の搬送ベルト１０５ｂ）を第２の搬送部１０６（第２の搬送ベルト１０６ｂ）へ向けて押し込み、２枚組フィルムシートの間の空気を押し出し（空気を抜き）、２枚組フィルムシートを溶着し易くする。
【００３１】
なお、上記説明では、包装機Ｐが、第１の包装用フィルムロールＲ１１及び第２の包装用フィルムロールＲ１２により、配達物を包装するケースについて説明したが、本実施形態はこれに限定されるものではない。例えば、包装機Ｐが、二枚重ねのフィルムをロール状に巻き取った包装用フィルムロールにより、二枚重ねの間に配達物を挿入し、配達物を包装するようにしてもよい。この場合、例えば、二枚重ねのフィルムロールの長手方向の両サイドが溶着されたものを用いることにより、ヒータの構成を減らすことができる。
【００３２】
なお、第１の包装用フィルムシートＳ１１及び第２の包装用フィルムシートＳ１２の引き出しについては、次のようにしてもよい。例えば、配達物が投入口１０１から投入されると、投入される配達部の自重及び配達物を押し込む力が袋状フィルム１２０の底辺（溶着ライン１１３ｃ）で受け止められ、第１の包装用フィルムシートＳ１１及び第２の包装用フィルムシートＳ１２が引き出されるようにしてもよい。なお、ここで説明した引き出しと先に説明した引き出し（第１の搬送ベルト１０５ｂ及び第２の搬送ベルト１０６ｂの可動による引き出し）とが協働して、第１の包装用フィルムシートＳ１１及び第２の包装用フィルムシートＳ１２が引き出されるようにしてもよい。
【００３３】
続いて、第２の包装部２００について説明する。第２の包装部２００は、投入口２０１、第１のフィルムローラ２０３、第２のフィルムローラ２０４、第１の搬送部２０５、第２の搬送部２０６、第１のセンサ２０７、第２のセンサ２０８、第１の押し当て機構２０９、第２の押し当て機構２１０、第１の押し当て部材２１１、第２の押し当て部材２１２、排出口２１５、及び付勢部材２１７を備える。第１の搬送部２０５は、第１の搬送ベルト２０５ｂを備え、同様に、第２の搬送部２０６は、第２の搬送ベルト２０６ｂを備える。なお、第２の包装部２００は第１の包装部１００と実質同様であり、詳細説明は省略する。
【００３４】
また、第１の包装用フィルムロール（フィルム本体）Ｒ２１、第２の包装用フィルムロール（フィルム本体）Ｒ２２、第１の包装用フィルムシートＳ２１、及び第２の包装用フィルムシートＳ２２は、それぞれが、第１の包装用フィルムロール（フィルム本体）Ｒ１１、第２の包装用フィルムロール（フィルム本体）Ｒ１２、第１の包装用フィルムシートＳ１１、及び第２の包装用フィルムシートＳ１２に対応するものであり、詳細説明は省略する。
【００３５】
例えば、第１のフィルムローラ１０３、第２のフィルムローラ１０４、第１のフィルムローラ２０３、及び第２のフィルムローラ２０４を水平方向に直線状に配置してもよいが、その場合、包装機Ｐのサイズが大きくなってしまう。そこで、図１Ａに示すように、第２のフィルムローラ１０４及び第１のフィルムローラ２０３を垂直方向に直線状又はほぼ直線状に配置する。これにより、包装機Ｐのサイズの拡大を抑えつつ、投入口１０１及び投入口２０１（投入作業スペース）を確保することができる。
【００３６】
また、第１の包装部１００及び第２の包装部２００において、第１のヒータ１３及び第２のヒータ１４は共通して利用される。これにより部品点数の抑制及び包装機Ｐの小型化に寄与することができる。例えば、第１のヒータ１３及び第２のヒータ１４を共通化するための一手法として、第１のヒータ１３及び第２のヒータ１４を固定として、第１の押し当て部材１１１を第１のヒータ１３（接触部１１３ａ）に対して移動し、また、第２の押し当て部材１１２を第２のヒータ１４（接触部１１４ａ）に対して移動し、第１の押し当て部材２１１を第１のヒータ１３（接触部２１３ａ）に対して移動し、また、第２の押し当て部材２１２を第２のヒータ１４（接触部２１４ａ）に対して移動する構成とした。
【００３７】
（第２の実施形態）
図１Ｂは、第２の実施形態に係る包装機の一例を示す断面図である。第１の実施形態と異なる部分を中心に説明し、第１の実施形態と共通する部分についての説明は適宜省略する。
【００３８】
図１Ｂに示すように、包装機Ｐは、第１の包装部１００及び第２の包装部２００を備え、第１の包装部１００は第１のヒータ１１３及び第２のヒータ１１４を備え、第２の包装部２００は第１のヒータ２１３及び第２のヒータ２１４を備える。
【００３９】
第１の実施形態では、第１の押し当て部材１１１及び第１の押し当て部材２１１が移動し第１のヒータ１３が固定、第２の押し当て部材１１２及び第２の押し当て部材２１２が移動し第２のヒータ１４が固定のケースについて説明した。第２の実施形態では、例えば、第１の押し当て部材１１１が固定で第１のヒータ１１３が移動し、第２の押し当て部材１１２が固定で第２のヒータ１１４が移動し、第１の押し当て部材２１１が固定で第１のヒータ２１３が移動し、第２の押し当て部材２１２が固定で第２のヒータ２１４が移動してもよい。即ち、第１の押し当て部材１１１と第１のヒータ１１３との間の距離、及び第１の押し当て部材２１１と第１のヒータ２１３との間の距離を可変可能な構成であれば、どのような構成であってもよい。同様に、第２の押し当て部材１１２と第２のヒータ１１４との間の距離、及び第２の押し当て部材２１２と第２のヒータ２１４との間の距離を可変可能な構成であれば、どのような構成であってもよい。
【００４０】
（第３の実施形態）
図５Ａ及び図５Ｂは、第３の実施形態に係る包装機の切断ヒータ及び溶着ヒータの一例を示す図である。第１及び第２の実施形態と異なる部分を中心に説明し、第１及び第２の実施形態と共通する部分についての説明は適宜省略する。
【００４１】
図５Ａ及び図５Ｂに示すように、例えば、対向配置された２つの第２のヒータ１４（これら２つの第２のヒータ１４を第２のヒータと第３のヒータと定義してもよい）のうちの少なくとも一方の第２のヒータ１４は、第１の分割ヒータ１４−１及び第２の分割ヒータ１４−２により構成される。第１の分割ヒータ１４−１は、接触部１１４ａ−１及び接触部２１４ａ−１を備える。また、第２のヒータ１４−２は、接触部１１４ａ−２及び接触部２１４ａ−２を備える。
【００４２】
例えば、図５Ａに示すように、対向配置された２つの第２のヒータ１４の幅Ｗ１（距離）は、袋状フィルム１２０の両サイドの２つの溶着ライン１１４ｂ（図４Ａ）の幅（距離）に相当する。つまり、接触部１１４ａ−１及び接触部１１４ａ−２と接触部１１４ａとの幅Ｗ１が、袋状フィルム１２０の両サイドの２つの溶着ライン１１４ｂ（図４Ａ）の幅（距離）に相当する。同様に、対向配置された２つの第２のヒータ１４の幅Ｗ１（距離）は、袋状フィルム２２０の両サイドの２つの溶着ライン２１４ｂ（図４Ｂ）の幅（距離）に相当する。つまり、接触部２１４ａ−１及び接触部２１４ａ−２と接触部２１４ａとの幅Ｗ１が、袋状フィルム２２０の両サイドの２つの溶着ライン２１４ｂ（図４Ｂ）の幅（距離）に相当する。これにより、幅Ｗ１の袋状フィルム１２０及び袋状フィルム２２０が得られる。
【００４３】
例えば、図５Ｂに示すように、図２に示すモータ１６（ヒータ可動部）からの駆動力はヒータ搬送機構（ヒータ可動部）に伝達され、ヒータ搬送機構は一方の第２のヒータ１４の第１の分割ヒータ１４−１を他方の第２のヒータ１４に対して平行に移動することができ、幅Ｗ１を幅Ｗ２へ変更することができる。これにより、幅Ｗ２の袋状フィルム１２０及び袋状フィルム２２０が得られる（袋状フィルム１２０及び袋状フィルム２２０の幅を変更することができる）。
【００４４】
また、袋状フィルム１２０の長さ（上記幅に直交する方向の長さ）については、次のように調整することができる。なお、ここでは、袋状フィルム１２０の長さの調整について説明するが、袋状フィルム２２０の長さも同様に調整することができる。
【００４５】
第１の搬送ベルト１０５ｂ及び第２の搬送ベルト１０６ｂの可動により、第１の包装用フィルムロールＲ１１から第１の包装用フィルムシートＳ１１が引き出され、第２の包装用フィルムロールＲ１２から第２の包装用フィルムシートＳ１２が引き出される。加えて、制御部１１が、第１のセンサ１０７からの第１の検知信号、及び第２のセンサ１０８からの第２の検知信号に基づき、第１の押し当て機構１０９及び第２の押し当て機構１１０を駆動させるための駆動信号をモータ１５へ供給する。よって、駆動信号のタイミングを調整することにより、袋状フィルム１２０の長さが調整される。
【００４６】
以上により、袋状フィルム１２０及び袋状フィルム２２０の幅及び長さを調整することができる。
【００４７】
なお、第１の分割ヒータ１４−１及び第２の分割ヒータ１４−２を一つのヒータ回路（電気的に接続された一つのヒータ回路）で構成してもよいし、二つ以上のヒータ回路で構成してもよい。例えば、第１の分割ヒータ１４−１及び第２の分割ヒータ１４−２を一つのヒータ回路で構成し、ヒータ回路をオンして、接触部１１４ａ−１、１１４ａ−２、２１４ａ−１、及び２１４ａ−２を加熱する。例えば、第１の分割ヒータ１４−１及び第２の分割ヒータ１４−２の温度を第１のヒータと同様の温度（高温）に加熱する。
【００４８】
この場合に、モータ１６及びヒータ搬送機構により第１の分割ヒータ１４−１を移動し、一方の第２のヒータ１４の第１の分割ヒータ１４−１と他方の第２のヒータ１４との間の幅がＷ２に調整された状態で、供給される２枚組フィルムシート（第１の包装用フィルムシートＳ１１及び第２の包装用フィルムシートＳ１２）が、接触部１１４ａ−１及び接触部１１４ａ−２に接触し、また、供給される２枚組フィルムシート（第１の包装用フィルムシートＳ２１及び第２の包装用フィルムシートＳ２２）が、接触部２１４ａ−１及び接触部２１４ａ−２に接触すると、供給される２枚組フィルムシートは、接触部１１４ａ−１及び接触部１１４ａ−２に接した部分が溶着され切断され、また、供給される２枚組フィルムシートは、接触部２１４ａ−１及び接触部２１４ａ−２に接した部分が溶着され切断される。その結果、Ｗ２の袋状フィルム１２０及び袋状フィルム２２０が得られる。
【００４９】
なお、接触部１１４ａ−２及び接触部２１４ａ−２により溶着された部分は切れ端となり無用な部分となるが、Ｗ２の袋状フィルム１２０及び袋状フィルム２２０の形成に悪影響は及ばない。
【００５０】
（第４の実施形態）
図６Ａ及び図６Ｂは、第４の実施形態に係る包装機の切断ヒータ及び溶着ヒータの一例を示す図である。第１乃至第３の実施形態と異なる部分を中心に説明し、第１乃至第３の実施形態と共通する部分についての説明は適宜省略する。
【００５１】
図６Ａ及び図６Ｂに示すように、例えば、対向配置された２つの第２のヒータ１４のうちの少なくとも一方の第２のヒータ１４は、第３の分割ヒータ１４−３及び第４の分割ヒータ１４−４により構成される。第３の分割ヒータ１４−３は、接触部１１４ａ−３を備える。また、第４のヒータ１４−４は、接触部１１４ａ−４を備える。
【００５２】
例えば、図６Ａに示すように、対向配置された２つの第２のヒータ１４の幅Ｗ１（距離）は、袋状フィルム１２０の両サイドの２つの溶着ライン１１４ｂ（図４Ａ）の幅（距離）に相当する。つまり、接触部１１４ａ−３と接触部１１４ａとの幅Ｗ１が、袋状フィルム１２０の両サイドの２つの溶着ライン１１４ｂ（図４Ａ）の幅（距離）に相当する。同様に、対向配置された２つの第２のヒータ１４の幅Ｗ１（距離）は、袋状フィルム２２０の両サイドの２つの溶着ライン２１４ｂ（図４Ｂ）の幅（距離）に相当する。つまり、接触部２１４ａ−４と接触部２１４ａとの幅Ｗ１が、袋状フィルム２２０の両サイドの２つの溶着ライン２１４ｂ（図４Ｂ）の幅（距離）に相当する。これにより、幅Ｗ１の袋状フィルム１２０及び袋状フィルム２２０が得られる。
【００５３】
例えば、図６Ｂに示すように、図２に示すモータ１６からの駆動力はヒータ搬送機構に伝達され、ヒータ搬送機構は一方の第２のヒータ１４の第３の分割ヒータ１４−３を他方の第２のヒータ１４に対して平行に移動することができ、幅Ｗ１を幅Ｗ２へ変更することができる。これにより、幅Ｗ２の袋状フィルム１２０が得られる（袋状フィルム１２０の幅を変更することができる）。なお、第３の分割ヒータ１４−３を移動して幅Ｗ１を幅Ｗ２へ変更し、第４の分割ヒータ１４−４を移動しなければ、幅Ｗ２の袋状フィルム１２０と、幅Ｗ１の袋状フィルム２２０とを得ることもできる。
【００５４】
以上により、袋状フィルム１２０の幅及び長さを調整することができる（袋状フィルム２２０の長さを調整することもできる）。
【００５５】
（第５の実施形態）
図７Ａ及び図７Ｂは、第５の実施形態に係る包装機の切断ヒータ及び溶着ヒータの一例を示す図である。第１乃至第４の実施形態と異なる部分を中心に説明し、第１乃至第４の実施形態と共通する部分についての説明は適宜省略する。
【００５６】
図７Ａ及び図７Ｂに示すように、例えば、包装機は、対向配置された２つの第２のヒータ１４の間に、さらに、第３のヒータ１７（２つの第２のヒータ１４を第２のヒータと第３のヒータと定義した場合、第３のヒータ１７を第４のヒータと定義してもよい）を備える。第３のヒータ１７は、接触部１１７ａ及び接触部２１７ａを備える。例えば、接触部１１７ａ及び接触部２１７ａの長さは、接触部１１４ａ及び２１４ａの長さより短い。
【００５７】
例えば、図７Ａに示すように、対向配置された２つの第２のヒータ１４の幅Ｗ１（距離）は、袋状フィルム１２０の両サイドの２つの溶着ライン１１４ｂ（図４Ａ）の幅（距離）、及び袋状フィルム２２０の両サイドの２つの溶着ライン２１４ｂ（図４Ｂ）の幅（距離）に相当する。つまり、２つの接触部１１４ａの幅Ｗ１が、袋状フィルム１２０の両サイドの２つの溶着ライン１１４ｂ（図４Ａ）の幅（距離）に相当し、２つの接触部２１４ａの幅Ｗ１が、袋状フィルム２２０の両サイドの２つの溶着ライン２１４ｂ（図４Ｂ）の幅（距離）に相当する。これにより、幅Ｗ１の袋状フィルム１２０及び袋状フィルム２２０が得られる。
【００５８】
また、図７Ｂに示すように、対向配置された第３のヒータ１７と１つの第２のヒータ１４との幅Ｗ２（距離）に対応して、幅Ｗ２の袋状フィルム１２０及び袋状フィルム２２０を得ることができる。つまり、接触部１１７ａと接触部１１４ａの幅Ｗ２に対応して幅Ｗ２の袋状フィルム１２０を得ることができ、接触部２１７ａと接触部２１４ａの幅Ｗ２に対応して幅Ｗ２の袋状フィルム２２０を得ることができる。袋状フィルム１２０及び２２０の長さ調整については既に説明した通りである。
【００５９】
例えば、図７Ａに示すように、制御部１１の制御により、対向配置された２つの第２のヒータ１４が加熱された状態（ヒータオン制御／ヒータオン状態）で、第３のヒータ１７が加熱されていない状態（ヒータオフ制御／ヒータオフ状態）になることにより、幅Ｗ１の袋状フィルム１２０及び袋状フィルム２２０を得ることができる。
【００６０】
また、図７Ｂに示すように、制御部１１の制御により、対向配置された第３のヒータ１７と１つの第２のヒータ１４とが加熱された状態で、残りの１つの第２のヒータ１４が加熱されていない状態になることにより、幅Ｗ２の袋状フィルム１２０及び袋状フィルム２２０を得ることができる。なお、幅Ｗ２の袋状フィルム１２０及び袋状フィルム２２０を得る場合、残りの１つの第２のヒータ１４も加熱した状態であってもよい。この場合、２つの第２のヒータ１４のヒータオンオフ制御を独立させる必要がなく、コスト削減につながる。
【００６１】
以上により、袋状フィルム１２０及び袋状フィルム２２０の幅及び長さを調整することができる。
【００６２】
（第６の実施形態）
図７Ｃは、第６の実施形態に係る包装機の切断ヒータ及び溶着ヒータの一例を示す図である。第５の実施形態と異なる部分を中心に説明し、第５の実施形態と共通する部分についての説明は適宜省略する。
【００６３】
１つの第２のヒータ１４の分割制御、及び第３のヒータ１７の分割制御が可能なケースを示す。例えば、１つの第２のヒータ１４を２以上のヒータ回路で構成し、接触部１１４ａを含む半面のヒータオン／オフと接触部２１４ａを含む半面のヒータオン／オフとを独立して制御可能な構成とする。同様に、第３のヒータ１７を２以上のヒータ回路で構成し、接触部１１７ａを含む半面のヒータオン／オフと接触部２１７ａを含む半面のヒータオン／オフとを独立して制御可能な構成とする。
【００６４】
これにより、図７Ｃに示すように、対向配置された２つの第２のヒータ１４の幅Ｗ１（距離）に対応して、幅Ｗ１の袋状フィルム袋状フィルム２２０を得ることができる。つまり、２つの接触部２１４ａの幅Ｗ１に対応して、幅Ｗ１の袋状フィルム袋状フィルム２２０を得ることができる。加えて、対向配置された第３のヒータ１７と１つの第２のヒータ１４との幅Ｗ２（距離）に対応して、幅Ｗ２の袋状フィルム１２０を得ることができる。つまり、接触部１１７ａと接触部１１４ａの幅Ｗ２に対応して幅Ｗ２の袋状フィルム１２０を得ることができる。
【００６５】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００６６】
Ｐ…包装機、Ｒ１１…第１の包装用フィルムロール（フィルム本体）、Ｒ１２…第２の包装用フィルムロール（フィルム本体）、Ｓ１１…第１の包装用フィルムシート、Ｓ１２…第２の包装用フィルムシート、１１…制御部、１３…第１のヒータ、１４…第２のヒータ、１５…モータ、１６…モータ、１７…第３のヒータ、１０１…投入口、１０３…第１のフィルムローラ、１０４…第２のフィルムローラ、１０５…第１の搬送部、１０５ｂ…第１の搬送ベルト、１０６…第２の搬送部、１０６ｂ…第２の搬送ベルト、１０７…第１のセンサ、１０８…第２のセンサ、１０９…第１の押し当て機構、１１０…第２の押し当て機構、１１１…第１の押し当て部材、１１２…第２の押し当て部材、１１３ａ…接触部、１１４ａ…接触部、１１５…排出口、１１７…付勢部材、１１７ａ…接触部。
【図１Ａ】
2018034845.tif 000003
【図１Ｂ】
2018034845.tif 000004
【図２】
2018034845.tif 000005
【図３】
2018034845.tif 000006
【図４Ａ】
2018034845.tif 000007
【図４Ｂ】
2018034845.tif 000008
【図５Ａ】
2018034845.tif 000009
【図５Ｂ】
2018034845.tif 000010
【図６Ａ】
2018034845.tif 000011
【図６Ｂ】
2018034845.tif 000012
【図７Ａ】
2018034845.tif 000013
【図７Ｂ】
2018034845.tif 000014
【図７Ｃ】
2018034845.tif 000015
【手続補正書】
【提出日】平成29年8月28日(2017.8.28)
【手続補正１】
【補正対象書類名】特許請求の範囲
【補正対象項目名】全文
【補正方法】変更
【補正の内容】
【特許請求の範囲】
【請求項１】
対向する第１の２枚組フィルムを供給する第１のフィルム供給部と、
対向する第２の２枚組フィルムを供給する第２のフィルム供給部と、
前記第１及び第２の２枚組フィルムをそれぞれ独立して袋状に溶着する溶着部と、
前記溶着部の一方の側に対向配置され、前記第１の２枚組フィルムを前記溶着部の一方の側へ押し当てる第１の押し当て部と、
前記溶着部の他方の側に対向配置され、前記第２の２枚組フィルムを前記溶着部の他方側へ押し当てる第２の押し当て部と、
を備える包装機。
【請求項２】
前記溶着部は、第１のヒータ、及び平行な２本の第２のヒータを備え、
前記第１のヒータは、前記第１及び第２の２枚組フィルムの長手方向に直交する直線状に、前記第１及び第２の２枚組フィルムを溶着する熱源であり、
前記２本の第２のヒータのうちの一方の第２のヒータは、前記第１及び第２の２枚組フィルムの長手方向に平行する直線状に、前記第１及び第２の２枚組フィルムの一辺側をそれぞれ独立して溶着する熱源であり、
前記２本の第２のヒータのうちの他方の第２のヒータは、前記第１及び第２の２枚組フィルムの長手方向に平行する直線状に、前記第１及び第２の２枚組フィルムの前記一辺に対向する他辺側をそれぞれ独立して溶着する熱源である請求項１の包装機。
【請求項３】
前記第１の押し当て部は、前記第１のヒータの一辺に対向配置された一辺側の第１の押し当て部材と、前記２本の第２のヒータそれぞれの一辺に対向配置された一辺側の第２の押し当て部材とを備え、
前記第２の押し当て部は、前記第１のヒータの他辺に対向配置された他辺側の第１の押し当て部材と、前記２本の第２のヒータそれぞれの他辺に対向配置された他辺側の第２の押し当て部材とを備え、
前記一辺側の第１の押し当て部材は、前記第１の２枚組フィルムを前記第１のヒータの一辺に押し当て、
前記一辺側の第２の押し当て部材は、前記第１の２枚組フィルムを前記２本の第２のヒータそれぞれの一辺に押し当て、
前記他辺側の第１の押し当て部材は、前記第２の２枚組フィルムを前記第１のヒータの他辺に押し当て、
前記他辺側の第２の押し当て部材は、前記第２の２枚組フィルムを前記２本の第２のヒータそれぞれの他辺に押し当てる請求項２の包装機。
【請求項４】
前記第１のヒータの温度は、前記２本の第２のヒータの温度より高温であり、前記第１及び第２の２枚組フィルムの長手方向に直交する直線状に、前記第１及び第２の２枚組フィルムを溶着し切断する熱源である請求項２又は３の包装機。
【請求項５】
前記２本の第２のヒータのうちの少なくとも一方を移動し、前記２本の第２のヒータの間の距離を変えるヒータ可動部を備える請求項２乃至４の何れか１つの包装機。
【請求項６】
前記他方の第２のヒータは、第１及び第２の分割ヒータにより構成され、
前記第１の分割ヒータを移動し、前記一方の第２のヒータ及び前記第１の分割ヒータの間の距離を変えるヒータ可動部を備える請求項２乃至４の何れか１つの包装機。
【請求項７】
前記２本の第２のヒータの間に、前記２本の第２のヒータと平行で且つ前記２本の第２のヒータの長さより短い第３のヒータを備える請求項２乃至４の何れか１つの包装機。
【手続補正２】
【補正対象書類名】明細書
【補正対象項目名】００２３
【補正方法】変更
【補正の内容】
【００２３】
例えば、第１の押し当て機構１０９及び第２の押し当て機構１１０は、制御部１１からの指示に基づき同時に駆動する。この駆動に対応して、第１の押し当て部材１１１が、待機位置から第１のヒータ１３に向けて移動し、第１の押し当て部材１１１が第１のヒータ１３に到達すると（第１の押し当て部材１１１が第１のヒータ１３に接触すると）、第１のヒータ１３の熱により、第１の押し当て部材１１１と第１のヒータ１３との間に挟み込まれた第１の包装用フィルムシートＳ１１と第２の包装用フィルムシートＳ１２とが溶着ライン１１３ｂ（図４Ａ参照）で溶着されるとともに、第１の包装用フィルムシートＳ１１は第１の包装用フィルムロールＲ１１（フィルム本体）から切り離され、第２の包装用フィルムシートＳ１２は第２の包装用フィルムロールＲ１２（フィルム本体）と分離する。
【手続補正３】
【補正対象書類名】明細書
【補正対象項目名】００２４
【補正方法】変更
【補正の内容】
【００２４】
また、第２の押し当て部材１１２が、待機位置から第２のヒータ１４に向けて移動し、第２の押し当て部材１１２が第２のヒータ１４に到達すると（第２の押し当て部材１１２が第２のヒータ１４に接触すると）、第２のヒータ１４の熱により、第２の押し当て部材１１２と第２のヒータ１４との間に挟み込まれた第１の包装用フィルムシートＳ１１と第２の包装用フィルムシートＳ１２とが溶着ライン１１４ｂ（図４Ａ参照）で溶着される。
【手続補正４】
【補正対象書類名】明細書
【補正対象項目名】００６５
【補正方法】変更
【補正の内容】
【００６５】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
以下、本願の出願当初の特許請求の範囲に記載された発明を付記する。
［Ｃ１］
対向する第１の２枚組フィルムを供給する第１のフィルム供給部と、
対向する第２の２枚組フィルムを供給する第２のフィルム供給部と、
前記第１及び第２の２枚組フィルムをそれぞれ独立して袋状に溶着する溶着部と、
前記溶着部の一方の側に対向配置され、前記第１の２枚組フィルムを前記溶着部の一方の側へ押し当てる第１の押し当て部と、
前記溶着部の他方の側に対向配置され、前記第１の２枚組フィルムを前記溶着部の他方側へ押し当てる第２の押し当て部と、
を備える包装機。
［Ｃ２］
前記溶着部は、第１、第２、及び第３のヒータを備え、
前記第１のヒータは、前記第１及び第２の２枚組フィルムの長手方向に直交する直線状に、前記第１及び第２の２枚組フィルムを溶着する熱源であり、
前記第２のヒータは、前記第１及び第２の２枚組フィルムの長手方向に平行する直線状に、前記第１及び第２の２枚組フィルムをそれぞれ独立して溶着する熱源であり、
前記第３のヒータは、前記第１及び第２の２枚組フィルムの長手方向に平行する直線状に、前記第１及び第２の２枚組フィルムをそれぞれ独立して溶着する熱源である［Ｃ１］の包装機。
［Ｃ３］
前記第１の押し当て部は、前記第１のヒータの一辺に対向配置された第１の部材と、前記第２のヒータの一辺に対向配置された第２の部材と、前記第３のヒータの一辺に対向配置された第３の部材とを備え、
前記第２の押し当て部は、前記第１のヒータの他辺に対向配置された第４の部材と、前記第２のヒータの他辺に対向配置された第５の部材と、前記第３のヒータの他辺に対向配置された第６の部材とを備え、
前記第１の部材は、前記第１の２枚組フィルムを前記第１のヒータの一辺に押し当て、
前記第２の部材は、前記第１の２枚組フィルムを前記第２のヒータの一辺に押し当て、
前記第３の部材は、前記第１の２枚組フィルムを前記第３のヒータの一辺に押し当て、
前記第４の部材は、前記第２の２枚組フィルムを前記第１のヒータの他辺に押し当て、
前記第５の部材は、前記第２の２枚組フィルムを前記第２のヒータの他辺に押し当て、
前記第６の部材は、前記第２の２枚組フィルムを前記第３のヒータの他辺に押し当てる［Ｃ２］の包装機。
［Ｃ４］
前記第１のヒータの温度は、前記第２及び第３のヒータの温度より高温であり、前記第１及び第２の２枚組フィルムの長手方向に直交する直線状に、前記第１及び第２の２枚組フィルムを溶着し切断する熱源である［Ｃ２］又は［Ｃ３］の包装機。
［Ｃ５］
前記第２及び第３のヒータのうちの少なくとも一方を移動し、前記第２及び第３のヒータの間の距離を変えるヒータ可動部を備える［Ｃ２］乃至［Ｃ４］の何れか１つの包装機。
［Ｃ６］
前記第３のヒータは、第１及び第２の分割ヒータにより構成され、
前記第１の分割ヒータを移動し、前記第２のヒータ及び第１の分割ヒータの間の距離を変えるヒータ可動部を備える［Ｃ２］乃至［Ｃ４］の何れか１つの包装機。
［Ｃ７］
前記第２及び第３のヒータの間に、前記第２及び第３のヒータと平行で且つ前記第前記第２及び第３のヒータの長さより短い第４のヒータを備える［Ｃ２］乃至［Ｃ４］の何れか１つの包装機。